(57)【要約】【課題】指紋登録運用を容易にすることのできる指紋照合システムを得る。【解決手段】指紋登録装置と、記録媒体と、扉に設置された指紋照合装置とを備え、指紋登録装置は、指紋未登録者の第１の指紋情報を検出する第１の指紋検出手段を含み、第１の指紋検出手段により第１の指紋情報を検出して記録媒体に格納し、指紋照合装置は、指紋登録未知者の第２の指紋情報を検出する第２の指紋検出手段と、扉の解錠を許可するための基準指紋情報を格納する指紋情報格納手段とを含み、記録媒体から第１の指紋情報を取得し、基準指紋情報として指紋情報格納手段に格納することにより、指紋未登録者を登録するとともに、第２の指紋情報と基準指紋情報とを照合することにより扉の解錠制御を行う。【選択図】　　　　図１
2004019140.tif 000002
【特許請求の範囲】
【請求項１】
扉の解錠制御を行う指紋照合システムであって、
指紋登録装置と、記録媒体と、前記扉に設置された指紋照合装置とを備え、
前記指紋登録装置は、
指紋未登録者の第１の指紋情報を検出する第１の指紋検出手段を含み、
前記第１の指紋検出手段により前記第１の指紋情報を検出して前記記録媒体に格納し、
前記指紋照合装置は、
指紋登録未知者の第２の指紋情報を検出する第２の指紋検出手段と、前記扉の解錠を許可するための基準指紋情報を格納する指紋情報格納手段とを含み、
前記記録媒体から前記第１の指紋情報を取得し、前記基準指紋情報として前記指紋情報格納手段に格納することにより、前記指紋未登録者を登録するとともに、前記第２の指紋情報と前記基準指紋情報とを照合することにより前記扉の解錠制御を行うことを特徴とする指紋照合システム。
【請求項２】
前記記録媒体は、指紋登録管理者の基準管理者指紋情報を含み、
前記指紋登録装置は、
前記記録媒体から前記基準管理者指紋情報を取得するとともに、前記第１の指紋検出手段により指紋登録未知管理者の第３の指紋情報を検出し、
前記基準管理者指紋情報と前記第３の指紋情報とが一致した場合には、前記第１の指紋情報を前記記録媒体に格納し、一致しない場合には、前記記録媒体への格納を禁止することを特徴とする請求項１に記載の指紋照合システム。
【請求項３】
前記指紋照合装置は、
前記記録媒体から前記基準管理者指紋情報を取得するとともに、前記第２の指紋検出手段により指紋登録未知管理者の第４の指紋情報を検出し、
前記基準管理者指紋情報と前記第４の指紋情報とが一致した場合には、前記第１の指紋情報を前記指紋情報格納手段に格納し、一致しない場合には、前記指紋情報格納手段への格納を禁止することを特徴とする請求項２に記載の指紋照合システム。
【発明の詳細な説明】
【０００１】
【発明の属する技術分野】
この発明は、扉の前に設置され、指紋照合によってその扉の解錠を制御する指紋照合システムに関するものである。
【０００２】
【従来の技術】
図７は、従来の指紋照合システムを示す説明図である。
【０００３】
図７において、扉の前に設置される指紋照合システムは、登録キー１１を押下されることにより指紋の登録モードに切り替わる。指紋登録の管理者は、ＬＣＤなどの表示装置３１を見ながら、テンキー１２を押下することにより、指紋登録を実行するためのパスワードを入力する。
【０００４】
指紋照合システムは、入力されたパスワードが正しいか否かによって、管理者が同行しているか否かを判断し、指紋登録を開始させる。なお、このパスワードは、管理者のみ知るものなので、指紋登録時には管理者の同行が必要であり、パスワードの誤りがある場合には、指紋を登録することができない。
【０００５】
指紋登録が開始されると、使用者（指紋登録者）は、指紋を読み込む指紋センサー１５の指置き部に自分の指を置き、指紋センサー１５に指紋を読み取らせて、指紋照合システムに自分の指紋データを格納し、登録を終了する。
【０００６】
一方、指紋照合時には、使用者は「照合」キー１１を押下することにより指紋の照合モードに切り替え、指紋センサー１５の指置き部に自分の指を置くことにより、指紋センサー１５に指紋を読み取らせる。指紋照合システムは、既に格納されている指紋データとの照合を行い、指紋データが一致すれば、接続されている扉の解錠制御を行い、通行を可能にする。
【０００７】
図８は、従来の指紋照合システムを示すブロック構成図である。
【０００８】
図８において、指紋登録時、登録指示手段１２は、登録キー（ファンクションキー）１１が押下されることにより、管理者権限チェック手段７１に指紋登録開始を通知する。
【０００９】
管理者権限チェック手段７１は、テンキー１２が押下されることにより管理者のパスワードが入力されると、入力されたパスワードが、正しいパスワードか否かをチェックし、正しい場合のみ指紋登録を続行する。
【００１０】
使用者番号指定手段７２は、テンキー１２が押下されることにより入力された使用者（指紋登録者）のＩＤ番号（使用者番号）を内部メモリ（図示せず）に書き込む。さらに、指紋データ取り込み手段１３は、指紋センサー１５により取り込まれた指紋データを内部メモリに書き込む。
【００１１】
登録データ書き込み手段７３は、ＩＤ番号と指紋データとを指紋データベース２２に書き込み、指紋登録を終了する。
【００１２】
一方、指紋の照合時、照合指示手段７４は、照合キー（ファンクションキー）１１が押下されることにより、ＩＤ番号入力手段７５に指紋照合開始を通知する。
【００１３】
ＩＤ番号入力手段７５は、テンキー１２が押下されることによりＩＤ番号が入力されると、入力されたＩＤ番号を内部メモリに書き込む。
【００１４】
また、指紋データ取込照合手段７６は、指紋センサー１５により読み取られた指紋データを取り込み、ＩＤ番号入力手段７５で内部メモリに書き込まれたＩＤ番号と指紋データとで、指紋データベース２２を参照し、ＩＤ番号に対応する指紋データとの照合を行う。
【００１５】
照合の結果、指紋データが一致すれば、扉制御手段２４は、扉に設置された電気錠の解錠制御を行い、指紋データが一致しなければ、解錠制御を行なわない。
【００１６】
【発明が解決しようとする課題】
従来の指紋照合システムは以上のように、通行可能とする使用者の指紋データを登録する場合、パスワードを入力するために管理者立ち会いのもと、予め登録作業を行わなければならないため、使用者が遠隔地にいる場合や、指紋登録時に装置のある登録場所に出向けない場合には、指紋データを登録することができず、管理者の管理が非常に面倒となるという問題点があった。
【００１７】
この発明は上記のような問題点を解決するためになされたもので、指紋登録運用を容易にすることのできる指紋照合システムを得ることを目的とする。
【００１８】
【課題を解決するための手段】
この発明に係る指紋照合システムは、扉の解錠制御を行う指紋照合システムであって、指紋登録装置と、記録媒体と、扉に設置された指紋照合装置とを備え、指紋登録装置は、指紋未登録者の第１の指紋情報を検出する第１の指紋検出手段を含み、第１の指紋検出手段により第１の指紋情報を検出して記録媒体に格納し、指紋照合装置は、指紋登録未知者の第２の指紋情報を検出する第２の指紋検出手段と、扉の解錠を許可するための基準指紋情報を格納する指紋情報格納手段とを含み、記録媒体から第１の指紋情報を取得し、基準指紋情報として指紋情報格納手段に格納することにより、指紋未登録者を登録するとともに、第２の指紋情報と基準指紋情報とを照合することにより扉の解錠制御を行うものである。
【００１９】
また、この発明に係る指紋照合システムの記録媒体は、指紋登録管理者の基準管理者指紋情報を含み、指紋登録装置は、記録媒体から基準管理者指紋情報を取得するとともに、第１の指紋検出手段により指紋登録未知管理者の第３の指紋情報を検出し、基準管理者指紋情報と第３の指紋情報とが一致した場合には、第１の指紋情報を記録媒体に格納し、一致しない場合には、記録媒体への格納を禁止するものである。
【００２０】
さらに、この発明に係る指紋照合システムの指紋照合装置は、記録媒体から基準管理者指紋情報を取得するとともに、第２の指紋検出手段により指紋登録未知管理者の第４の指紋情報を検出し、基準管理者指紋情報と第４の指紋情報とが一致した場合には、第１の指紋情報を指紋情報格納手段に格納し、一致しない場合には、指紋情報格納手段への格納を禁止するものである。
【００２１】
【発明の実施の形態】
実施の形態１．
以下、図面を参照しながら、この発明の実施の形態１について詳細に説明する。
【００２２】
図１は、この発明の実施の形態１を示す指紋照合システムのブロック構成図である。なお、図１において、前述（図８参照）と同様のものについては、同一符号を付して詳述を省略する。
【００２３】
図１において、指紋照合システムは、指紋登録装置１と、指紋照合装置２とを備え、外部に持ち出し可能な記録媒体３によって、指紋データを指紋登録装置１から指紋照合装置２へ転送している。
【００２４】
次に、指紋登録装置１および指紋照合装置の内部構成について説明する。指紋登録装置１は、ファンクションキー１１およびテンキー１２が押下されることによって登録を指示する登録指示手段１３と、指紋センサー１５から指紋データを取り込む指紋データ取込手段１４とを備えている。
【００２５】
また、管理者の指紋データを照合する管理者照合手段１６と、管理者の指紋データが一致している場合のみ、記録媒体３に指紋データを格納することを許可する指紋データ登録許可手段１７と、記録媒体３に対してデータを読み書きする媒体読み書き手段１８とを備えている。
【００２６】
また、指紋照合装置２は、ファンクションキー１１およびテンキー１２が押下されることにより、指紋データの読み込みを指示する指紋データ読込指示手段１９と、指紋センサー１５から指紋データを取り込む指紋データ取込手段１４と、管理者の指紋データを照合する管理者照合手段１６とを備えている。
【００２７】
また、ファンクションキー１１およびテンキー１２が押下されることにより、指紋照合を開始する指紋照合開始手段２０と、記録媒体３内に格納された指紋データを指紋データベース２２に転送する使用者データ転送手段２１と、通行を許可する全ての使用者の指紋データを格納する指紋データベース２２と、指紋データを照合する指紋照合手段２３と、照合結果に応じて、扉に設置された電気錠の解錠制御を行う扉制御手段２４とを備えている。
【００２８】
次に、指紋照合装置２を例に挙げて、ハードウェア構成について説明する。図２は、この発明の実施の形態１による指紋照合装置のハードウェア構成を示すブロック図である。なお、図２において、前述（図１、図８参照）と同様のものについては、同一符号を付して詳述を省略する。
【００２９】
図２において、指紋照合装置２は、ファンクションキー１１と、テンキー１２と、表示装置（ＬＣＤ）３１と、記録媒体３を読み込む記録媒体リーダ・ライター（Ｒ／Ｗ）３２とが、入出力回路（Ｉ／Ｏ）３４を介して、全体の処理、制御を行う中央演算装置（ＣＰＵ）３５に接続される。
【００３０】
また、指紋照合装置２のみ、扉の電気錠の解錠を制御するリレー回路（Ｒｙ）３３が入出力回路（Ｉ／Ｏ）３４を介して中央演算装置（ＣＰＵ）３５に接続される。
【００３１】
また、中央演算装置３５は、指紋データ等を格納するメモリ３６と接続され、アナログ／デジタル変換器（Ａ／Ｄ）３７を介して指紋センサー１５が接続される。
【００３２】
次に、指紋照合システムの外観例について説明する。図３は、この発明の実施の形態１による動作を示す説明図である。なお、図３において、前述（図１、図２、図８参照）と同様のものについては、同一符号または符号の後に「Ａ」を付して、詳述を省略する。
【００３３】
まず、指紋登録装置１は、利用者の指紋データがどこでも登録できるように卓上型になっている。指紋登録装置１は、操作ガイダンスを出力する表示装置３と、「登録」および「終了」モード切替用のファンクションキー１１と、ＩＤ番号を入力するテンキー１２と、指紋データを取り込む指紋センサー１５と、指紋データを格納するメモリカードやＩＣカード等の記録媒体３を挿入する媒体挿入口１８Ａとを備えている。
【００３４】
また、各扉の前に設置される指紋照合装置２は、操作ガイダンスを出力する表示装置３１と、「読込」および「照合」モード切替用のファンクションキー１１と、ＩＤ番号を入力するテンキー１２と、指紋データを取り込む指紋センサー１５とを備えており、記録媒体３の媒体挿入口（図示せず）は、指紋照合装置２の下部に配置されている。
【００３５】
次に、指紋照合システムを用いた指紋登録および照合の運用方法について説明する。
【００３６】
図３において、管理者の指紋データを格納した記録媒体３を持参した指紋登録の管理者が、指紋登録装置１が設置されている使用者の場所まで出向き、管理者立ち会いのもと、指紋登録装置１を用いて、記録媒体３の中に使用者の指紋データを格納する。登録する使用者が複数存在する場合には、それぞれの場所に出向いて登録作業を行い、記録媒体３に複数の指紋データを格納させる。
【００３７】
管理者は、管理者と使用者との指紋データを格納した記録媒体３を持ち、各扉の前に設置された指紋照合装置２に記録媒体３を挿入して、管理者チェック（管理者の指紋照合）の上、使用者の指紋データを指紋データベース２２に転送させ、指紋登録を終了する。
【００３８】
次に、図４〜図６を参照しながら、この発明の実施の形態１による動作について説明する。図４は、この発明の実施の形態１による指紋登録装置１の動作を示すフローチャートであり、図５は、この発明の実施の形態１による記録媒体の格納方法を示すブロック構成図であり、図６は、この発明の実施の形態１による指紋照合装置２の動作を示すフローチャートである。
【００３９】
まず、図４を参照しながら、指紋登録装置１の動作について説明する。
【００４０】
指紋登録装置１の媒体挿入口１８Ａに記録媒体３が挿入され（ステップＳ４０１）、登録キー１１が押下されると（ステップＳ４０２）、指紋登録装置１の登録指示手段１３は、指紋登録開始を指示し、媒体読み書き手段１８は、記録媒体３から管理者の指紋データを読み込み（ステップＳ４０３）、読み込んだ指紋データが記録媒体３内に格納されているか判断する（ステップＳ４０４）。
【００４１】
ステップＳ４０４において、管理者の指紋データが格納されていない場合（すなわち、ＮＯ）、表示装置３１は「管理者登録モード」と表示し（ステップＳ４０５）、登録指示手段１３は、管理者の指紋登録を開始させる。
【００４２】
管理者の指紋登録が開始されると、登録指示手段１３は、指紋データ取込手段１４に指示し、指紋センサー１５から管理者の指紋データを取り込ませる。
【００４３】
管理者が指を指紋センサー１５の指置き部１５Ａに置くと、指紋センサー１５は、指紋データを取り込み（ステップＳ４０６）、媒体読み書き手段１８は、管理者の指紋データを記録媒体３に格納し（ステップＳ４０７）、ステップＳ４０８に進む。
【００４４】
ステップＳ４０４において、記録媒体３に管理者の指紋データが格納されている場合（すなわち、ＹＥＳ）、表示装置３１は、「管理者照合モード」と表示し（ステップＳ４０８）、記録媒体３から読み込んだ管理者の指紋データの照合を開始する。
【００４５】
管理者が指を指紋センサー１５の指置き部１５Ａに置くと、指紋センサー１５は、指紋データを取込み（ステップＳ４０９）、管理者照合手段１６は、指紋センサー１５から取り込んだ指紋データと、記録媒体３から読み込んだ指紋データとを照合し、両者の指紋データが一致するか否かを判断する（ステップＳ４１０）
【００４６】
ステップＳ４１０において、指紋データが不一致の場合（すなわち、ＮＯ）、管理者不正と見なして、ステップＳ４１１からステップＳ４１６までをスキップし、図４の処理ルーチンを終了する。
【００４７】
また、ステップＳ４１０において、指紋データが一致する場合（すなわち、ＹＥＳ）、管理者照合手段１６は、使用者の指紋データの登録を許可する旨を指紋データ登録許可手段１７に通知する。また、表示装置３１は、「使用者登録モード」と表示する（ステップＳ４１１）。
【００４８】
使用者がテンキー１２を用いて、使用者のＩＤ番号を入力すると（ステップＳ４１２）、登録指示手段１３は、指紋データ取込手段１４に指示し、指紋センサー１５から使用者の指紋データを取り込ませる。
【００４９】
使用者が指を指紋センサー１５の指置き部１５Ａに置くと、指紋センサー１５は、指紋データを取込み（ステップＳ４１３）、指紋データ登録許可手段１７は、管理者照合手段１６からの登録許可通知を受けていることを媒体読み書き手段１８に通知する。
【００５０】
媒体読み書き手段１８は、入力された使用者のＩＤ番号と、指紋センサー１５から取り込んだ指紋データとを対にして、記録媒体３に格納し（ステップＳ４１４）、記録媒体３の使用者数のカウンタをインクリメントする（ステップＳ４１５）。
【００５１】
続いて、「終了」キー１１が押下されたか否かを判断し（ステップＳ４１６）、「終了」キー１１が押下された場合（すなわち、ＹＥＳ）、図４の処理ルーチンを終了する。また、ステップＳ４１６において、「終了」キー１１が押下されていない場合（すなわち、ＮＯ）、ステップＳ４１１に戻り、使用者の指紋登録を継続する。
【００５２】
記録媒体３に格納された指紋データは、図５のように格納されている。図５は、この発明の実施の形態１による記録媒体３の指紋データの格納方法を示す説明図である。
【００５３】
図５において、記録媒体３は、管理者の指紋データと、格納された使用者の数とが格納され、さらに、その使用者のＩＤ番号と指紋データとが対になって、使用者の数の分だけ格納されている。
【００５４】
続いて、図６を参照しながら、指紋照合装置２の動作について説明する。
【００５５】
指紋照合装置２の媒体挿入口に記録媒体３を挿入し、読込キー１１が押下されると（ステップＳ６０１）、指紋照合装置２の指紋データ読込指示手段１９は、媒体読み書き手段１８に記録媒体３が挿入されているかチェックさせる（ステップＳ６０２）。
【００５６】
ステップＳ６０２において、記録媒体３が挿入されていない場合（すなわち、ＮＯ）、ステップＳ６０３からステップＳ６１０までをスキップし、図６の処理ルーチンを終了する。
【００５７】
また、ステップＳ６０２において、記録媒体３が挿入されている場合（すなわち、ＹＥＳ）、媒体読み書き手段１８は、記録媒体３から管理者の指紋データを読み込む（ステップＳ６０３）。
【００５８】
また、指紋データ読込指示手段１９は、指紋データ取込手段１４に指示し、指紋センサー１５から管理者の指紋データを取り込ませる。
【００５９】
管理者が指を指紋センサー１５の指置き部１５Ａに置くと、指紋センサー１５は、指紋データを取込む（ステップＳ６０４）。
【００６０】
管理者照合手段１６は、記録媒体３から読み込んだ管理者の指紋データと、指紋センサー１５から取り込んだ指紋データとを照合し、一致するか否かを判断する（ステップＳ６０５）。
【００６１】
ステップＳ６０５において、指紋データが不一致の場合（すなわち、ＮＯ）、ステップＳ６０６からステップＳ６１０までをスキップして、図６の処理ルーチンを終了する。また、指紋データが一致した場合（すなわち、ＹＥＳ）、使用者データ転送手段２１に管理者の照合が一致した旨を通知し、使用者数をカウントするカウンタｉに「１」をセットする（ステップＳ６０６）。
【００６２】
次に、媒体読み書き手段１８は、記録媒体３に格納された使用者の指紋データ（ｉ）と、対応するＩＤ番号（ｉ）とを読み込む（ステップＳ６０７）。使用者データ転送手段２１は、管理者照合手段１６からの通知を確認した場合に、指紋データ（ｉ）と、対応するＩＤ番号（ｉ）とを指紋データベース２２に格納する（ステップＳ６０８）。
【００６３】
続いて、記録媒体３に記録された使用者の数が、カウンタｉ以上であるか否かを判断する（ステップＳ６０９）。
【００６４】
ステップＳ６０９において、カウンタｉ以上である場合（すなわち、ＹＥＳ）、記録媒体３に使用者の指紋データが残っていると判断し、カウンタｉをインクリメントして（ステップＳ６１０）、ステップＳ６０７に戻り、次に格納された使用者の指紋データの読み込みを行う。また、使用者の数がカウンタｉよりも小さい場合（すなわち、ＮＯ）、ステップＳ６１１をスキップして、図６の処理ルーチンを終了する。
【００６５】
一方、照合キー１１が押下され（ステップＳ６１１）、テンキー１２からＩＤ番号が入力されると（ステップＳ６１２）、指紋照合開始手段２０は、指紋照合手段２３に指示し、ＩＤ番号に対応した指紋データを検索させる（ステップＳ６１３）。
【００６６】
指紋照合手段２３は、指紋センサー１５から使用者の指紋データを取り込み（ステップＳ６１４）、指紋データベース２２から検索した指紋データと、指紋センサー１５から取り込んだ指紋データとを照合し、一致するか否かを判断する（ステップＳ６１５）。
【００６７】
ステップＳ６１５において、指紋データが一致した場合（すなわち、ＹＥＳ）、表示装置３１は、一致した旨を表示し（ステップＳ６１６）、扉制御手段２４は、所定扉の電気錠を解錠制御し（ステップＳ６１７）、通行可能とする。
【００６８】
また、指紋データが不一致の場合（すなわち、ＮＯ）、表示装置３１は、一致しない旨を表示し（ステップＳ６１８）、図６の処理ルーチンを終了する。
【００６９】
このように、指紋登録を行う装置と、指紋照合を行う装置とを分け、指紋登録時には、指紋登録装置１を用いて、持ち運び可能な記録媒体３に指紋データを格納するので、使用者が各指紋照合装置まで出向く手間を省き、使用者が遠隔地にいる場合などでも、指紋照合装置２に指紋データを登録することができ、登録運用が簡単で便利となる。
【００７０】
また、記録媒体３に使用者の指紋データを格納する場合、記録媒体３に格納された管理者の指紋データと、指紋登録装置１の指紋センサー１５から取り込んだ指紋データとを照合して、一致した場合のみ、使用者の指紋データを記録媒体３に格納するので、指紋登録時には、必ず管理者の立ち会いと、管理者の指紋照合が必要となり、管理者の責任の上で使用者の指紋データが登録されることを保証し、不正な登録を防ぎ、セキュリティー性能を高めることができる。
【００７１】
また、指紋照合装置２の指紋データベース２２に格納する時も、指紋登録装置１と同様に、記録媒体３の管理者の指紋データと、指紋照合装置２の指紋センサー１５から取り込まれた指紋データとを照合して、一致した場合のみ、記録媒体３中の使用者の指紋データを指紋データベース２２に格納するので、不正な指紋データが記録媒体３中に格納されていても、指紋データベース２２に格納されることを防ぐことができる。
【００７２】
【発明の効果】
以上のように、この発明によれば、扉の解錠制御を行う指紋照合システムであって、指紋登録装置と、記録媒体と、扉に設置された指紋照合装置とを備え、指紋登録装置は、指紋未登録者の第１の指紋情報を検出する第１の指紋検出手段を含み、第１の指紋検出手段により第１の指紋情報を検出して記録媒体に格納し、指紋照合装置は、指紋登録未知者の第２の指紋情報を検出する第２の指紋検出手段と、扉の解錠を許可するための基準指紋情報を格納する指紋情報格納手段とを含み、記録媒体から第１の指紋情報を取得し、基準指紋情報として指紋情報格納手段に格納することにより、指紋未登録者を登録するとともに、第２の指紋情報と基準指紋情報とを照合することにより扉の解錠制御を行うので、使用者が各指紋照合装置まで出向く手間を省き、使用者が遠隔地にいる場合などでも、指紋照合装置に指紋データを登録することができ、登録運用が簡単で便利となる指紋照合システムが得られる効果がある。
【００７３】
また、この発明によれば、記録媒体は、指紋登録管理者の基準管理者指紋情報を含み、指紋登録装置は、記録媒体から基準管理者指紋情報を取得するとともに、第１の指紋検出手段により指紋登録未知管理者の第３の指紋情報を検出し、基準管理者指紋情報と第３の指紋情報とが一致した場合には、第１の指紋情報を記録媒体に格納し、一致しない場合には、記録媒体への格納を禁止するので、指紋登録時には、必ず管理者の立ち会いと、管理者の指紋照合が必要となり、管理者の責任の上で使用者の指紋データが登録されることを保証し、不正な登録を防ぎ、セキュリティー性能を高めることのできる指紋照合システムが得られる効果がある。
【００７４】
さらに、この発明によれば、指紋照合装置は、記録媒体から基準管理者指紋情報を取得するとともに、第２の指紋検出手段により指紋登録未知管理者の第４の指紋情報を検出し、基準管理者指紋情報と第４の指紋情報とが一致した場合には、第１の指紋情報を指紋情報格納手段に格納し、一致しない場合には、指紋情報格納手段への格納を禁止するので、不正な指紋データが記録媒体中に格納されていても、指紋データベースに格納されることを防ぎ、さらにセキュリティー性能を高めることのできる指紋照合システムが得られる効果がある。
【図面の簡単な説明】
【図１】この発明の実施の形態１を示す指紋照合システムのブロック図である。
【図２】この発明の実施の形態１による指紋照合装置のハードウェア構成を示すブロック図である。
【図３】この発明の実施の形態１による動作を示す説明図である。
【図４】この発明の実施の形態１による指紋登録装置の動作を示すフローチャートである。
【図５】この発明の実施の形態１による記録媒体の格納方法を示すブロック構成図である。
【図６】この発明の実施の形態１による指紋照合装置の動作を示すフローチャートである。
【図７】従来の指紋照合システムを示す説明図である。
【図８】従来の指紋照合システムを示すブロック構成図である。
【符号の説明】
１　指紋登録装置、２　指紋照合装置、３　記録媒体、１１　ファンクションキー、１２　テンキー、１３　登録指示手段、１４　指紋データ取込手段、１５指紋センサー、１５Ａ　指紋センサーの指置き部、１６　管理者照合手段、１７　指紋データ登録許可手段、１８　媒体読み書き手段、１８Ａ　記録媒体挿入口、１９　指紋データ読込指示手段、２０　指紋照合開始手段、２１　使用者データ転送手段、２２　指紋データベース、２３　指紋照合手段、２４　扉制御手段、３１　表示手段（ＬＣＤ）、３２　記録媒体リーダ・ライター（Ｒ／Ｗ）、３３　リレー回路、３４　入出力回路（Ｉ／Ｏ）、３５　中央演算装置（ＣＰＵ）、３６　メモリ、３７　アナログ／デジタル変換器（Ａ／Ｄ）。
【図１】
2004019140.tif 000003
【図２】
2004019140.tif 000004
【図３】
2004019140.tif 000005
【図４】
2004019140.tif 000006
【図５】
2004019140.tif 000007
【図６】
2004019140.tif 000008
【図７】
2004019140.tif 000009
【図８】
2004019140.tif 000010